(57)【要約】【課題】従来の浸水防御装置は、集中豪雨や洪水等の水害緊急時に車両や工場商品の浸水被害および建物や敷地への浸水被害を防止するために、通常時の保管に困難な問題点を有している土嚢を積んでの浸水防止策や、また近年浸水を防止するための各種装置も多く開発、考案、発明されているが、とても一般住民が使用するには構造が複雑で保持点検も必要となり、大掛かりで経済的に高価すぎるなどを課題とする。【解決手段】本発明は、防水シートを確実に水密状態で固定できる簡易な縁加工構造とし、安価で浸水被害の防止が提供できる事を特徴とした防水シートに縁加工した浸水防御装置である。可撓性防水シート材１の縁部に弾性部材２が装着された垂直部材８と水平部材９とで構成された逆Ｔ型留め具５と、浸水を防止すべき床部や側壁部の基礎面１２に取り付けられたＣ型状断面をした凹溝形鋼の嵌込係留具１１で構成され、水の圧力及び重さで圧着させることにより圧密で水密を得る事を特徴とする防水シートに縁加工した浸水防御装置である。【選択図】図３
2007218060.tif 000002
【特許請求の範囲】
【請求項１】
浸水を防止すべき床部や側壁部の基礎面に取り付けられたＣ型状断面をした凹状の嵌込係留具を形成し、弾性部材が装着された逆Ｔ型留め具を縁加工した可撓性防水シート材を嵌込係留する事を特徴とする防水シートに縁加工した浸水防御装置。
【請求項２】
請求項１記載の縁加工は、水平部材と垂直部材とからなる逆Ｔ型留め具において、垂直部材に対して水平部材の内方辺が鋭角に構成された事を特徴とする防水シートに縁加工した浸水防御装置。
【請求項３】
請求項１記載の縁加工の逆Ｔ型留め具の水平部材内部には、硬質材を埋め込み剛性を高めた構造を特徴とする防水シートに縁加工した浸水防御装置。
【請求項４】
請求項１記載の縁加工の逆Ｔ型留め具の垂直部材には、Ｃ型状断面をした嵌込係留具の凹溝形鋼の開口部内側の折り込み部分と接する逆Ｔ型留め具部分の内方背面に軟粘性樹脂のパッキンを設けている事を特徴とする防水シートに縁加工した浸水防御装置。
【請求項５】
請求項１記載の縁加工の逆Ｔ型留め具の垂直部材内方背面には、止水用リブが取り付けられている事を特徴とする防水シートに縁加工した浸水防御装置。
【発明の詳細な説明】
【技術分野】
【０００１】  本発明は、集中豪雨や洪水等の水害緊急時に車両や工場商品の浸水被害および建物や敷地への浸水被害を防止するために設置する防水シートに縁加工した浸水防御装置に関するものである。
【背景技術】
【０００２】  従来、集中豪雨や洪水等の水害緊急時に浸水被害防止策として地盤を嵩上げしたり土嚢を積んで遮水するなどして浸水を防止している。【０００３】  また近年、浸水を防止するための各種の装置が開発されているが、電動式や油圧式または圧縮空気や高圧ガスなどを利用した装置で浸水を防止している。（例えば、特許文献１参照）。【０００４】  構造が簡易で保持点検や動力も最小限なものとして、フロート式や防水板の設置方法がある。（例えば、特許文献２参照）。【０００５】  防水シートにおいて、手作業で容易に浸水防止シート壁構造を提供する。（例えば、特許文献３参照）。【０００６】
【特許文献１】特開平６−９３６２３号公告（明細書）
【特許文献２】特開２００５−２２６３３０号公告（明細書）
【特許文献３】特開昭６３−２１０３０７号公告（第２−４頁、第２図）
【発明の開示】
【発明が解決しようとする課題】
【０００７】  しかしながら、上述した従来の土嚢を積んでの浸水防止策は、通常時に土嚢を保管しておくことの困難な問題点を有している。【０００８】  また近年、浸水を防止するための各種開発された装置も構造が複雑で保持点検が必要なものや、大掛かりで経済的に一般住民が使用するには高価すぎる問題点を有している。【０００９】  そして、構造が簡易なフロート式や防水板の浸水防止装置も、設置するためのスペースが広く必要であったり、防水板の保管場所が必要であるなどの問題点を有している。【００１０】  防水シートの浸水防止装置においては、構造が簡易で安価で提供できる特徴を有しているが、防水シートを確実に水密状態に固定するため、複数個のシート固定ボルトや押さえ金具で固定しなければならない。その結果、多くの時間と手間がかかる問題点を有している。【００１１】  本発明は、このような課題に鑑みてなされたものであり、防水シートの設置が容易で迅速かつ確実に水の浸入を遮断できるとともに、構造が簡易で安価に提供できる防水シートに縁加工した浸水防御装置を提供することを目的とする。
【課題を解決するための手段】
【００１２】    上記の目的を達成するため、本発明の防水シートに縁加工した浸水防御装置は、浸水を防止すべき床部や側壁部の基礎面１２に取り付けられたＣ型状断面をした凹状の嵌込係留具１１を形成し、弾性部材２が装着された逆Ｔ型留め具５を縁加工した可撓性防水シート材１を嵌込係留する事を特徴とするものである。本発明の防水シートに縁加工した浸水防御装置によれば、浸水を防止すべき床部や側壁部の基礎面１２に取り付けられたＣ型状断面をした嵌込係留具１１の凹溝形鋼の内部に、可撓性防水シート材１の縁部に弾性部材２が装着された逆Ｔ型留め具５を挿入することにより、容易で迅速かつ確実に水の浸入を遮断できる。【００１３】  また、本発明の防水シートに縁加工した浸水防御装置は、垂直部材８と水平部材９とからなる逆Ｔ型留め具５において、垂直部材８に対して水平部材９の内方辺１６が鋭角２７に構成された事を特徴とするものである。本発明の防水シートに縁加工した浸水防御装置によれば、可撓性防水シート材１の縁部は、垂直部材８と水平部材９とからなる逆Ｔ型の縁加工部辺において、垂直部材８に対して水平部材９の内方辺１６を鋭角２７に形成された事により、嵌込係留具１１の凹溝形鋼の開口部に挿入が容易となるとともに、抜け留めフックの機能を有する効果が提供できる。水平部材９の内方辺１６を鋭角２７に形成する角度とは、ここでは逆Ｔ型留め具５が嵌込係留具１１の凹溝形鋼の開口部より着脱可能な条件下として９０度から４５度までの範囲を言う。【００１４】  また、本発明の防水シートに縁加工した浸水防御装置は、逆Ｔ型留め具５の水平部材９内部には、硬質材６を埋め込み剛性を高めた構造を特徴とするものである。本発明の防水シートに縁加工した浸水防御装置によれば、縁加工の逆Ｔ型留め具５の内部には、硬質材６を埋め込み剛性を高めることにより、高水圧力下であって引っ張りが発生しても引き抜きを防ぐとともに、抜け出ることのない構造を提供できる。【００１５】  また、本発明の防水シートに縁加工した浸水防御装置は、縁加工の逆Ｔ型留め具５の垂直部材８には、Ｃ型状断面をした嵌込係留具１１の凹溝形鋼の開口部内側の折り込み部分１３と接する逆Ｔ型留め具５部分の内方背面に軟粘性樹脂のパッキン４を設けている事を特徴とするものである。本発明の防水シートに縁加工した浸水防御装置によれば、縁加工の逆Ｔ型留め具５は、Ｃ型状断面をした嵌込係留具１１の凹溝形鋼と水密を得るように、凹溝形鋼の開口部内側の折り込み部分１３と接する逆Ｔ型留め具５部分の内方背面に軟粘性樹脂のパッキン４を設け、確実に水の浸入を遮断できる効果が提供できる。【００１６】  また、本発明の防水シートに縁加工した浸水防御装置は、縁加工の逆Ｔ型留め具５の垂直部材８内方背面には、止水用リブ３が取り付けられている事を特徴とするものである。本発明の防水シートに縁加工した浸水防御装置によれば、縁加工の逆Ｔ型留め具５の垂直部材８内方背面には、水の圧力及び重さで圧着させることにより隙間なく圧密し得るように止水用リブ３を取り付け、より確実で強力な止水効果を発揮することが提供できる。
【発明の効果】
【００１７】  以上説明したように、本発明に係わる防水シートに縁加工した浸水防御装置は、設置が容易で迅速かつ確実に水の浸入を遮断できるとともに、構造が簡単であることから製造が容易で生産も安価で提供できる。【００１８】  また、本発明は防水シート材料の破れや劣化の点検を行う程度で保持コスト少なく、折りたたむ事も可能で収納場所がコンパクトであることから、一般住民から公共施設及び工場などの広い範囲で適合出来る効果を有する。
【発明を実施するための最良の形態】
【００１９】  以下、添付図面を参照して本発明の防水シートに縁加工した浸水防御装置にかかる実施の形態について詳細に説明する。【００２０】  図１は本発明の一実施例に係わる防水シートの縁加工部の断面図である。同図に示すように補強繊維層７を内層とした可撓性防水シート材１の縁部に弾性部材２が装着された垂直部材８と水平部材９とで構成された逆Ｔ型留め具５である。逆Ｔ型留め具５は垂直部材８に対して水平部材９の内方辺（背面長）１６が鋭角２７に形成されている。逆Ｔ型留め具５の水平部材９内部には、硬質材６を埋め込み剛性を高めている。逆Ｔ型留め具５の垂直部材８の内方背面に軟粘性樹脂のパッキン４を設けている。逆Ｔ型留め具５の垂直部材８の背面に止水用リブ３を取り付け止水用リブ３の先端には中空部１０を設けた事を特徴とする防水シートの縁加工部である。【００２１】  図２は本発明の一実施例に係わる防水シートに縁加工した浸水防御装置の断面図である。同図に示すように集中豪雨や洪水等の水害緊急時に浸水被害を防止するために防水シートに縁加工した浸水防御装置の内側に車両等の構造物１５を保管する。可撓性防水シート材１の縁部に弾性部材２が装着された逆Ｔ型留め具５と、浸水を防止すべき床部や側壁部の基礎面１２に取り付けられたＣ型状断面（開口部内側の折り込み部分１３を形成する）をした凹溝形鋼の嵌込係留具１１で構成されている。可撓性防水シート材１の上部に浮力材又は棒通し袋２０を備える。【００２２】  図３は本発明の一実施例に係わる防水シートに縁加工した浸水防御装置の嵌込係留部の拡大断面図である。同図に示すように可撓性防水シート材１の縁部に弾性部材２が装着された垂直部材８と水平部材９とで構成された逆Ｔ型留め具５と、浸水を防止すべき床部や側壁部の基礎面１２に取り付けられたＣ型状断面（開口部内側の折り込み部分１３を形成する）をした凹溝形鋼の嵌込係留具１１で構成された事を特徴とする防水シートに縁加工した浸水防御装置である。【００２３】  図４は本発明の一実施例に係わる防水シートに縁加工した浸水防御装置の嵌込係留部の拡大断面図である。当該図４断面は、縁加工の逆Ｔ型留め具５が水の圧力及び重さ１４で圧着する過程の断面である。凹溝形鋼の開口部内側の折り込み部分１３と接する逆Ｔ型留め具５部分の内方背面の軟粘性樹脂のパッキン４が隙間なく圧密し確実に水の浸入を遮断できる効果が提供できる事を特徴とする防水シートに縁加工した浸水防御装置である。【００２４】  図５は本発明の一実施例に係わる防水シートに縁加工した浸水防御装置の断面図である。当該図５断面は、縁加工の逆Ｔ型留め具５が嵌込係留具１１の凹溝形鋼の開口部に挿入し水の圧力及び重さ１４が影響する前の過程の断面である。同図に示すように集中豪雨や洪水等の水害緊急時に浸水被害を防止するために防水シートに縁加工した浸水防御装置の内側に車両等の構造物１５を保管する。可撓性防水シート材１の縁部に弾性部材２が装着された逆Ｔ型留め具５を、浸水を防止すべき床部や側壁部の基礎面１２に取り付けられたＣ型状断面の凹溝形鋼の嵌込係留具１１に挿入した状態である。【００２５】  図６は本発明の一実施例に係わる防水シートに縁加工した浸水防御装置の嵌込係留部���拡大断面図である。当該図６断面は、縁加工の逆Ｔ型留め具５を嵌込係留具１１の凹溝形鋼の開口部に挿入し水の圧力及び重さ１４が影響する前の過程の断面である。【００２６】  図７は本発明の一実施例に係わる防水シートに縁加工した浸水防御装置の断面図である。当該図７断面は、縁加工の逆Ｔ型留め具５が水の圧力及び重さ１４の影響で引っ張りが発生し引き抜き圧着する状態である。同図に示すように集中豪雨や洪水等の水害緊急時に浸水被害を防止するために防水シートに縁加工した浸水防御装置の内側に車両等の構造物１５を保管する。【００２７】  図８は本発明の一実施例に係わる防水シートに縁加工した浸水防御装置の嵌込係留部の拡大断面図である。当該図８断面は、縁加工の逆Ｔ型留め具５が水の圧力及び重さ１４の影響で引っ張りが発生し引き抜き圧着する状態である。凹溝形鋼の開口部内側の折り込み部分１３と接する逆Ｔ型留め具５部分の内方背面の軟粘性樹脂のパッキン４が隙間なく圧密し水の浸入を遮断できる状態である。【００２８】  図９は本発明の一実施例に係わる防水シートに縁加工した浸水防御装置の断面図である。当該図９断面は、縁加工の逆Ｔ型留め具５が水の圧力及び重さ１４の影響で圧着する過程である。凹溝形鋼の開口部内側の折り込み部分１３と接する逆Ｔ型留め具５部分の内方背面の軟粘性樹脂のパッキン４と止水用リブ３が水の圧力及び重さ１４の影響で隙間なく圧密し、より確実に強力な止水効果を発揮する状態である。また可撓性防水シート材１は、内側に保管している車両等の構造物１５を支えとしてもたれ掛かり遮水壁構造として形成する。【００２９】  図１０は本発明の一実施例に係わる防水シートに縁加工した浸水防御装置の嵌込係留部の拡大断面図である。当該図１０断面は、縁加工の逆Ｔ型留め具５が水の圧力及び重さ１４の影響で引っ張りが発生し引き抜き圧着する状態である。凹溝形鋼の開口部内側の折り込み部分１３と接する逆Ｔ型留め具５部分の内方背面の軟粘性樹脂のパッキン４と止水用リブ３が水の圧力及び重さ１４の影響で隙間なく圧密し、より確実に強力な止水効果を発揮する状態である。止水用リブ３はより一層の水密を得るように、中空部１０を設けた事を特徴とする防水シートの縁加工部である。【００３０】  図１１は本発明の一実施例に係わる防水シートに縁加工した浸水防御装置を使用した浸水防止自動車カバーの断面斜視図である。同図に示すように集中豪雨や洪水等の水害緊急時に浸水被害を防止するために防水シートに縁加工した浸水防御装置の内側に車両等の構造物１５を保管する。浸水を防止すべき車両等の構造物１５の外周床部基礎面１２に取り付けられたＣ型状断面（開口部内側の折り込み部分１３を形成する）をした凹溝形鋼の嵌込係留具１１の開口部に、縁加工の逆Ｔ型留め具５を挿入し水面１９が車両等の構造物１５  を覆っても浸水を防止することができる。可撓性防水シート材１は、内側に保管している車両等の構造物１５を支えとしてもたれ掛かり遮水壁構造として浸水被害を防止する事を特徴とする防水シートに縁加工した浸水防御装置である。【００３１】  図１２は本発明の一実施例に係わる防水シートに縁加工した浸水防御装置を使用し、構築物への浸水を防止する浸水防止シー��壁構造の断面斜視図である。同図に示すように集中豪雨や洪水等の水害緊急時に浸水被害を防止するために嵌込係留具１１の凹溝形鋼を少なくとも床部の基礎面１２と両側部で囲まれた側面壁面２５に設け、縁加工の逆Ｔ型留め具５を嵌込係留具１１の凹溝形鋼の開口部に挿入し、バリケード（固定器具）２２に土嚢２３を積んで水面１９の水圧に対抗可能として、可撓性防水シート材１上部の浮力材又は棒通し袋２０に通し棒２１を備え、その通し棒２１に固定吊り材２４で固定し浸水防止壁が形成し外部からの洪水を防ぐことができる。また、両側部で囲まれた側面壁面２５の開口幅に合わせて、防水ファスナー２８を備え縁加工した可撓性防水シート材１を連結することで自在に調整できる。【００３２】  図１３は本発明の一実施例に係わる防水シートに縁加工した浸水防御装置を使用し、構築物への浸水を防止する浸水防止シート壁構造の断面斜視図である。同図に示すように図１２のバリケード（固定器具）２２の代用として可撓性防水シート材１の支え具として、固定金物２６を備えたものである。【００３３】  図１４は本発明の一実施例に係わる防水シートに縁加工した浸水防御装置を使用し、排水桝２９よりの水面１９上昇による逆流で構築物への浸水を防止する浸水防止シート壁構造の断面斜視図である。同図に示すように集中豪雨や洪水等の排水桝２９よりの水面１９上昇による逆流を防止するために嵌込係留具１１の凹溝形鋼を排水桝２９の外周床部基礎面１２に取り付けられたＣ型状断面（開口部内側の折り込み部分１３を形成する）をした凹溝形鋼の嵌込係留具１１の開口部に、縁加工の逆Ｔ型留め具５を挿入し、水面１９上昇による逆流で浸水を防止することができる。可撓性防水シート材１上部の浮力材又は棒通し袋２０に通し棒２１を備え、その通し棒２１と可撓性防水シート材１の支え具として、固定金物２６で固定し浸水防止壁が形成し排水桝２９内部から外部への浸水を防ぐことができる。
【図面の簡単な説明】
【００３４】
【図１】本発明の一実施例に係わる防水シートの縁加工部の断面図である。
【図２】本発明の一実施例に係わる防水シートに縁加工した浸水防御装置の断面図である。
【図３】本発明の一実施例に係わる防水シートに縁加工した浸水防御装置の嵌込係留部の拡大断面図である。
【図４】本発明の一実施例に係わる防水シートに縁加工した浸水防御装置の嵌込係留部の拡大断面図である。
【図５】本発明の一実施例に係わる防水シートに縁加工した浸水防御装置の断面図である。
【図６】本発明の一実施例に係わる防水シートに縁加工した浸水防御装置の嵌込係留部の拡大断面図である。
【図７】本発明の一実施例に係わる防水シートに縁加工した浸水防御装置の断面図である。
【図８】本発明の一実施例に係わる防水シートに縁加工した浸水防御装置の嵌込係留部の拡大断面図である。
【図９】本発明の一実施例に係わる防水シートに縁加工した浸水防御装置の断面図である。
【図１０】本発明の一実施例に係わる防水シートに縁加工した浸水防御装置の嵌込係留部の拡大断面図である。
【図１１】本発明の一実施例に係わる防水シートに縁加工した浸水防御装置を使用した浸水防止自動車カバーの断面斜視図である。
【図１２】本発明の一実施例に係わる防水シートに縁加工した浸水防御装置を使用し、構築物への浸水を防止する浸水防止シート壁構造の断面斜視図である。
【図１３】本発明の一実施例に係わる防水シートに縁加工した浸水防御装置を使用し、構築物への浸水を防止する浸水防止シート壁構造の断面斜視図である。
【図１４】本発明の一実施例に係わる防水シートに縁加工した浸水防御装置を使用し、排水桝２９よりの水面１９上昇による逆流で構築物への浸水を防止する浸水防止シート壁構造の断面斜視図である。
【符号の説明】
【００３５】    １  可撓性防水シート材
２  弾性部材
３  止水用リブ
４  軟粘性樹脂のパッキン
５  逆Ｔ型留め具
６  硬質材
７  補強繊維層
８  垂直部材
９  水平部材
１０  中空部
１１  嵌込係留具
１２  基礎面
１３  内側の折り込み部分
１４  水の圧力及び重さ
１５  車両等の構造物
１６  内方辺（背面長）
１７  外方辺（前面長）
１８  固定フック
１９  水面
２０  浮力材又は棒通し袋
２１  通し棒
２２  バリケード（固定器具）
２３  土嚢
２４  固定吊り材
２５  側面壁面
２６  固定金物
２７  鋭角
２８  防水ファスナー
２９  排水桝
【図１】
2007218060.tif 000003
【図２】
2007218060.tif 000004
【図３】
2007218060.tif 000005
【図４】
2007218060.tif 000006
【図５】
2007218060.tif 000007
【図６】
2007218060.tif 000008
【図７】
2007218060.tif 000009
【図８】
2007218060.tif 000010
【図９】
2007218060.tif 000011
【図１０】
2007218060.tif 000012
【図１１】
2007218060.tif 000013
【図１２】
2007218060.tif 000014
【図１３】
2007218060.tif 000015
【図１４】
2007218060.tif 000016